(57)【要約】【課題】本発明は、入力配線部材が保護部材とフレームとの間に挟み込まれることなく簡単な構成で収納可能な表示装置を提供することを目的とする。【解決手段】本発明による表示装置は、表示パネル５と、一端が表示パネル５の端部に接続され、他端が表示パネル５の端部から突出して配置された、表示パネル５に信号を入力する入力配線部材７と、表示パネル５の表示面とは反対側の面上に配置された面状光源８と、表示パネル５の表示面の全体を覆うように配置された保護部材１と、表示パネル５および面状光源８の側面に対して間隙を設けるように保護部材１に固定され、表示パネル５および面状光源８を収容し保持する保持フレーム１０と、入力配線部材７を間隙に誘導するように保持フレーム１０に設けられたガイド部１０ａとを備える。【選択図】図２
2014164154.tif 000002
【特許請求の範囲】
【請求項１】
表示パネルと、
一端が前記表示パネルの端部に接続され、他端が前記表示パネルの端部から突出して配置された、前記表示パネルに信号を入力する入力配線部材と、
前記表示パネルの表示面とは反対側の面上に配置された面状光源と、
前記表示パネルの表示面の全体を覆うように配置された保護部材と、
前記表示パネルおよび前記面状光源の側面に対して間隙を設けるように前記保護部材に固定され、前記表示パネルおよび前記面状光源を収容し保持する保持フレームと、
前記入力配線部材を前記間隙に誘導するように前記保持フレームに設けられたガイド部と、
を備える、表示装置。
【請求項２】
前記ガイド部は、前記保持フレームの前記表示パネルおよび前記面状光源の側面と対向する面上であって、かつ前記入力配線部材の他端に対向する箇所において、前記入力配線部材の他端側に突出した突起部であることを特徴する、請求項１に記載の表示装置。
【請求項３】
前記突起部は、前記入力配線部を前記間隙に誘導する傾斜面を有することを特徴とする、請求項２に記載の表示装置。
【請求項４】
前記突起部は、先端が丸みを帯びていることを特徴とする、請求項２に記載の表示装置。
【請求項５】
前記突起部は、前記保持フレームの一部を切り欠いて形成されることを特徴とする、請求項２に記載の表示装置。
【請求項６】
前記突起部は、前記保持フレームの前記保護部材に固定される面の一部を切り欠いて形成されることを特徴とする、請求項５に記載の表示装置。
【請求項７】
前記突起部は、前記保持フレームの前記表示パネルおよび前記面状光源の側面と対向する面の一部を切り欠いて形成されることを特徴とする、請求項５に記載の表示装置。
【請求項８】
前記保持フレームは、金属を含む材料で形成されることを特徴とする、請求項１ないし７のいずれかに記載の表示装置。
【発明の詳細な説明】
【技術分野】
【０００１】
本発明は、表示装置に関する。
【背景技術】
【０００２】
近年、情報電子機器の普及に伴い、液晶（LCD : Liquid Crystal Display）パネルの表示面上に堅牢性を有するガラス等の保護部材を備える多くの液晶表示装置が製品化されている。
【０００３】
液晶表示装置を備えた表示機器では、外光が表示面を反射することに起因する視認性の悪化を防止するために、あるいは、外部からの衝撃、浸水、埃などから液晶表示装置を保護するために、液晶表示装置の表示面と、タッチパネルや保護部材とを透明樹脂などでグラスボンディングすることによって一体化している場合が多い。
【０００４】
また、タッチパネルや保護部材の大きさを液晶表示装置の表示面よりも大きくすることによって、液晶表示装置の周辺部における防水または防塵の領域を広く取ることができるため、より高い防水、防塵効果を得ることができる。
【０００５】
従来の表示装置として、例えば、表示パネルと、表示パネルの観察側に第一固定部材が介在された状態で配置された保護板と、表示パネルの観察側とは反対側に配置された面光源と、保護板が配置された側とは反対側に配置された底部と、保護板に第二固定部材を介して固定された外壁部とを有する筐体と、筐体の底部との間に介在されて弾性反発力によって表示パネルを保護板に向けて押圧する基部を有する緩衝部材とを備えた保護板一体型表示装置が開示されている（例えば、特許文献１参照）。特許文献１では、表示パネルの端部に配線フィルムが接続されている。
【０００６】
また、ゲートＣＯＦ（Chip On Film）に対応する位置に開口部を有する蓋形状の構造をフレームに形成し、当該構造にＣＯＦを収納する液晶表示装置が開示されている（例えば、特許文献２参照）。ここで、ゲートＣＯＦとは、液晶表示パネルのゲート線に接続されたＣＯＦのことをいう。
【０００７】
なお、以下では、特許文献２に記載のゲートＣＯＦと、特許文献１に記載の配線フィルムとを含めた、表示パネルに所定の信号を入力するための配線のことを入力配線部材という。
【先行技術文献】
【特許文献】
【０００８】
【特許文献１】特開２０１１−７５６０５号公報
【特許文献２】特開２０１０−６０８６２号公報
【発明の概要】
【発明が解決しようとする課題】
【０００９】
特許文献１に記載のような、表示面と平行な平面部を全周に有するフレームを表示パネルの背面から取り付ける構造において、表示パネルの端部に入力配線部材が実装（接続）されている場合、入力配線部材の先端は表示パネル（あるいは表示パネルを含むモジュール）の外側に飛び出している。従って、表示装置の組み立て時において、表示面側にタッチパネルや保護部材をグラスボンディングした表示パネルの背面上に面状光源装置を載置し、面状光源装置の表示パネルとは反対側からフレームを取り付ける際に、表示パネルの表示面側にグラスボンディングされた保護部材とフレームとの間に入力配線部材を挟み込むという問題があった。
【００１０】
このような問題の対策として、フレームを取り付ける前に、入力配線部材を例えば面状光源装置にテープ等で固定することによって保護部材とフレームとの間に入力配線部材を挟み込まないようにする方法が考えられるが、入力配線部材を面状光源装置にテープで固定する作業工程が追加されるため好ましくない。
【００１１】
また、入力配線部材を面状光源装置にテープで固定した場合において、表示装置に不具合が生じて分解・リペアする際にテープを剥がすと、入力配線部材に実装されている配線が断線するという問題があった。
【００１２】
上記より、特許文献１では、フレームを取り付ける際に入力配線部材が保護部材とフレームとの間に挟み込まれてしまうため、入力配線部材を適切な位置に収納（配置）することが難しかった。
【００１３】
また、特許文献２では、入力配線部材が保護部材とフレームとの間に挟み込まれることはないが、入力配線部材を収納するための複雑な形状をフレームに形成する必要があり、歩留まりの低下、コストアップ、入力配線部材を収納する作業工程が追加される等といった問題がある。
【００１４】
本発明は、これらの問題を解決するためになされたものであり、入力配線部材が保護部材とフレームとの間に挟み込まれることなく簡単な構成で収納可能な表示装置を提供することを目的とする。
【課題を解決するための手段】
【００１５】
上記の課題を解決するために、本発明による表示装置は、表示パネルと、一端が表示パネルの端部に接続され、他端が表示パネルの端部から突出して配置された、表示パネルに信号を入力する入力配線部材と、表示パネルの表示面とは反対側の面上に配置された面状光源と、表示パネルの表示面の全体を覆うように配置された保護部材と、表示パネルおよび面状光源の側面に対して間隙を設けるように保護部材に固定され、表示パネルおよび面状光源を収容し保持する保持フレームと、入力配線部材を間隙に誘導するように保持フレームに設けられたガイド部とを備える。
【発明の効果】
【００１６】
本発明によると、表示パネルと、一端が表示パネルの端部に接続され、他端が表示パネルの端部から突出して配置された、表示パネルに信号を入力する入力配線部材と、表示パネルの表示面とは反対側の面上に配置された面状光源と、表示パネルの表示面の全体を覆うように配置された保護部材と、表示パネルおよび面状光源の側面に対して間隙を設けるように保護部材に固定され、表示パネルおよび面状光源を収容し保持する保持フレームと、入力配線部材を間隙に誘導するように保持フレームに設けられたガイド部とを備えるため、入力配線部材が保護部材とフレームとの間に挟み込まれることなく簡単な構成で収納可能となる。
【図面の簡単な説明】
【００１７】
【図１】本発明の実施の形態１による表示装置の分解斜視図である。
【図２】本発明の実施の形態１による表示装置の断面図である。
【図３】本発明の実施の形態１による表示装置の部分断面図である。
【図４】本発明の実施の形態１による表示装置の部分断面図である。
【図５】本発明の実施の形態２による表示装置の部分断面図である。
【図６】本発明の実施の形態２による保持フレームの斜視図である。
【図７】本発明の実施の形態３による表示装置の部分断面図である。
【図８】本発明の実施の形態３による保持フレームの斜視図である。
【図９】本発明の実施の形態４による表示装置の部分断面図である。
【発明を実施するための形態】
【００１８】
本発明の実施の形態について、図面に基づいて以下に説明する。
【００１９】
＜実施の形態１＞
まず、本発明の実施の形態１による表示装置の構成について説明する。
【００２０】
図１は、本実施の形態１による表示装置の分解斜視図である。
【００２１】
図１に示すように、表示装置は、タッチパネル３と、表示パネル５と、表示パネル５の表示面とは反対側の面上に配置された面状光源８と、表示パネル５の表示面の全体を覆うように配置された保護部材１と、表示パネル５および面状光源８を収容し保持する保持フレーム１０とを備えている。
【００２２】
保護部材１は、タッチパネル３および表示パネル５に対する外部からの加圧や接触等による損傷、変形、磨耗、汚れ等を防止するために、タッチパネル３の表示パネル５とは反対側にボンディング材２によってグラスボンディングされている。
【００２３】
また、保護部材１は、ガラスまたはプラスチック等、概ね透明の材料によって構成されており、なお、本実施の形態１では、保護部材１として、強度が高く変形しにくいガラスを用いている。
【００２４】
また、保護部材１の厚さは、タッチパネル３よりも厚い方が好ましく、具体的にはタッチパネル３の概ね２倍以上の厚さであれば、タッチパネル３および表示パネル５の変形または破損を防ぐことができる。
【００２５】
なお、保護部材１の表面または裏面に対して印刷や塗装を施すことによって、保護部材１に意匠部材としての機能を付加することができる。
【００２６】
タッチパネル３は、表示パネル５の表示面側にボンディング材４によってグラスボンディングされている。また、タッチパネル３は、透明な基板上に形成された透明電極を有する回路を備えており、外部（操作者）から入力された位置座標に関する情報を電気信号に変換し、変換した電気信号を最終製品である表示装置の制御回路（図示せず）に、出力配線部材（図示せず）を介して伝達する。
【００２７】
なお、本実施の形態１において、タッチパネル３は、投射容量方式を用いているものとする。投射容量方式のタッチパネル３は、タッチパネル３における操作者の指先等の接触位置を座標データとして検知している。具体的には、接触位置とその付近に配置される複数の電極パターンにおける電流量の比率を計測することによって接触位置を正確に判別している。判別された接触位置は、電気信号に変換された後、上記の制御回路に伝達される。
【００２８】
また、タッチパネル３は、透明電極が形成された基板と、当該基板に対向して配置される他の基板とから構成されており、両基板とも透明なガラス等が用いられている。
【００２９】
表示パネル５は、プラズマ表示パネルや液晶表示パネル等を用いることができる。例えば表示パネル５が液晶表示パネルである場合、液晶表示パネルは液晶の複屈折性を応用しており、ガラス等の絶縁性基板上に着色層、遮光層、あるいは対向電極等が形成された対向基板と、ガラス等の絶縁性基板上にスイッチング素子となる薄膜トランジスタ（Thin Film Transistor、以下では単にＴＦＴという）、あるいは画素電極等が形成されたＴＦＴアレイ基板とを備えている。また、他に、対向基板とＴＦＴアレイ基板との間隔を保持するスペーサ、対向基板とＴＦＴアレイ基板とを貼り合わせるシール材、対向基板とＴＦＴアレイ基板との間で狭持される液晶、液晶を注入するための注入口を封止する封止材、液晶を配向させる配向膜、および偏光板等を備えている。
【００３０】
信号処理基板６は、外部からの信号を制御する回路基板（PCB : Printed Circuit Board）であり、表示パネル５の入力配線部材７が配置される側とは異なる側において、表示パネル５とコネクタを介して接続されている。なお、本実施の形態１において、信号処理基板６は、表示パネル５のソース端子側に接続されている。
【００３１】
入力配線部材７は、表示パネル５の表示面側の端部において、表示パネル５から延在して配置された配線に接続されており、外部からの信号を表示パネル５に入力する機能を有する。すなわち、入力配線部材７は、一端が表示パネル５の端部に接続され、他端が表示パネル５の端部から突出して配置されており、表示パネル５に信号を入力する機能を有している。
【００３２】
なお、入力配線部材７は、一般的に、柔軟性に優れたＣＯＦやＦＰＣ（Flexible Printed Circuits）が用いられるが、ＣＯＦやＦＰＣと同等の機能あるいは性質を有するものであれば、他の材料または構成であってもよい。
【００３３】
面状光源８は、光を出射する光源や、光源から出射した光を伝播する導光板等を保持するモールドフレームによって構成されている。面状光源８から出射された光は、表示パネル５の背面側を照射する。
【００３４】
接合部材９は、保持フレーム１０と保護部材１とを接合するための部材であり、例えば、粘着剤であってもよい。なお、接合部材９は、クッション性を有する材質であってもよく、両面テープや接着剤等であってもよい。また、接合部材９として硬化性樹脂等を用いれば、時間の経過に従って接着力が強くなるため、接着性をより向上させることができる。
【００３５】
保持フレーム１０は、保護部材１、タッチパネル３、表示パネル５、および面状光源８等を保持する。保持フレーム１０は、薄板の金属または樹脂成型品等によって構成されており、一体形成して構成されてもよく、複数の部材を組み合わせて構成されてもよい。
【００３６】
また、保持フレーム１０は、保護部材１のタッチパネル３側の面に対して平行に形成された面を有しており、当該面と保護部材１とは接合部材９によって接合されている。
【００３７】
また、保持フレーム１０は、側面に形成されたネジ部や取り付け穴等の取り付け部（図示せず）によって、最終製品（表示装置の図示しない部材）に取り付け可能となっている。
【００３８】
次に、保持フレーム１０の詳細について説明する。
【００３９】
図２は、図１のＡ−Ａ断面図である。
【００４０】
図２に示すように、保持フレーム１０は、表示パネル５および面状光源８の側面に対して間隙を設けるように保護部材１に固定されている。また、保持フレーム１０は、当該保持フレーム１０の表示パネル５および面状光源８の側面と対向する面上であって、かつ入力配線部材７の他端に対向する箇所において、入力配線部材７の他端側に突出したガイド部１０ａ（突起部）を有している。
【００４１】
ガイド部１０ａは傾斜面を有しており、入力配線部材７を、保持フレーム１０と表示パネル５および面状光源８の側面との間隙に誘導するように設けられている。
【００４２】
なお、本実施の形態１において、ガイド部１０ａは、保持フレーム１０と一体成型されているものとする。
【００４３】
また、ガイド部１０ａは、表示パネル５および面状光源８の側面に対向する保持フレーム１０の側面の全体に形成するようにしてもよく、図３に示すような保持フレーム１０の側面の一部であって入力配線部材７に対向する箇所にのみ形成するようにしてもよい。
【００４４】
次に、表示装置の組み立てについて説明する。
【００４５】
図３は、表示装置を組み立てる際における表示装置の部分断面図であり、保持フレーム１０と表示パネル５および面状光源８との間に入力配線部材７を収納する様子を示す図である。
【００４６】
図３に示すように、タッチパネル３および保護部材１をそれぞれグラスボンディングした表示パネル５の背面側（表示パネルの表示面とは反対側）に面状光源８を載置する。その後、保持フレーム１０を取り付ける際に、ガイド部１０ａの先端（突起部の先端）を入力配線部材７と保護部材１との間に差し込むように配置し（図３の左図参照）、ガイド部１０ａを保護部材１と平行かつ表示パネル５側に向かってスライドさせる。このとき、入力配線部材７は、ガイド部１０ａの傾斜面に沿って、保持フレーム１０と表示パネル５および面状光源８との間（間隙）に誘導・収納される。
【００４７】
以上のことから、本実施の形態１によれば、保持フレーム１０にガイド部１０ａを設けることによって、表示装置を組み立てる際、ガイド部１０ａの傾斜面に沿って入力配線部材７を保持フレーム１０と表示パネル５および面状光源８との間（間隙）に誘導・収納することができる。従って、入力配線部材７が保護部材１と保持フレーム１０との間（あるいは、保護部材１と接合部材９との間）に挟み込まれることなく簡単な構成で収納可能となる。また、入力配線部材７を面状光源８等にテープ等で固定する必要がなく、表示装置の組み立て、あるいは分解・リペア等を容易に行うことができる。
【００４８】
＜変形例＞
図４は、表示装置の部分断面図である。
【００４９】
図４に示すように、保護部材１の裏面側（タッチパネル３側）に、保護テープ１１を設けてもよい。
【００５０】
保護テープ１１を設けることによって、保持フレーム１０を取り付ける際に、保護部材１の裏面を傷付けないといった効果が得られる。
【００５１】
なお、保護テープ１１に代えて、保護部材１の裏面上に所定の印刷を施しても同様の効果が得られる。
【００５２】
＜実施の形態２＞
図５は、本発明の実施の形態２による表示装置の部分断面図である。また、図６は、図５に示す保持フレーム１０の斜視図を示している。なお、図６（ａ）は図５の紙面左側から見た図であり、図６（ｂ）は図５の紙面右側から見た図である。その他の構成および表示装置の組み立て方法は、実施の形態１と同様であるため、ここでは説明を省略する。また、本実施の形態２において、保持フレーム１０は板金であるとして説明する。
【００５３】
図５に示すように、本実施の形態２では、保持フレーム１０に形成されるガイド部１０ｂ（突起部）が、保持フレーム１０の一部を切り欠いて形成されることを特徴としている。特に、ガイド部１０ｂは、保持フレーム１０の保護部材１に固定される面の一部を切り欠いて形成されている。
【００５４】
図６に示すように、ガイド部１０ｂは、保持フレーム１０の保護部材１に固定される面の一部を切り欠き、切り欠いた部分に対応する保持フレーム１０の一部に対して表示パネル５側に曲げ加工（プレス加工）を施すことによって形成される。なお、図５において、保持フレーム１０の保護部材１に固定される面に印されている垂直方向の線は、切り欠いた保持フレーム１０の先端部との断面を示している。
【００５５】
以上のことから、本実施の形態２によれば、実施の形態１による効果に加えて、ガイド部１０ｂをプレス加工で形成しているため表示装置を安価に作製することが可能となる。
【００５６】
＜実施の形態３＞
図７は、本発明の実施の形態３による表示装置の部分断面図である。また、図８は、図７に示す保持フレーム１０の斜視図を示している。なお、図８（ａ）は図７の紙面左側から見た図であり、図８（ｂ）は図７の紙面右側から見た図である。その他の構成および表示装置の組み立て方法は、実施の形態１と同様であるため、ここでは説明を省略する。
【００５７】
図７に示すように、本実施の形態３では、保持フレーム１０に形成されるガイド部１０ｃ（突起部）が、保持フレーム１０の表示パネル５および面状光源８の側面と対向する面の一部を切り欠いて形成されることを特徴としている。
【００５８】
図８に示すように、ガイド部１０ｃは、保持フレーム１０の表示パネル５の側面と対向する面（保護部材１に対して垂直方向の面）の一部を切り欠き、切り欠いた部分に対応する保持フレーム１０の一部を保護部材１の裏面（表示パネル５側の面）に対して平行となるように形成されている。なお、図７において、保持フレーム１０の表示パネル５の側面と対向する面に印されている水平方向の線は、切り欠いた保持フレーム１０の先端部との断面を示している。
【００５９】
なお、図８に示すように、ガイド部１０ｃの先端部を保護部材１側に少し曲げてもよい。この場合、入力配線部材７を、保持フレーム１０と表示パネル５および面状光源８との間へスムーズに誘導することができる。
【００６０】
以上のことから、本実施の形態３によれば、実施の形態１による効果に加えて、保持フレーム１０の表示パネル５の側面と対向する面を切り欠いてガイド部１０ｃを形成している（すなわち、実施の形態２のように、保持フレーム１０の保護部材１に固定される面の一部を切り欠いていない）ため、保護部材１と保持フレーム１０との接合面積の減少による接合強度の低下を防ぐことが可能となる。
【００６１】
＜実施の形態４＞
図９は、本発明の実施の形態４による表示装置の部分断面図である。その他の構成および表示装置の組み立て方法は、実施の形態１と同様であるため、ここでは説明を省略する。
【００６２】
図９に示すように、本実施の形態４では、保持フレーム１０に形成されるガイド部１０ｄ（突起部）の先端が丸みを帯びて形成されることを特徴としている。
【００６３】
以上のことから、本実施の形態４によれば、実施の形態１による効果に加えて、保持フレーム１０を取り付ける際に、保護部材１および入力配線部材７を傷付け難くすることが可能となる。
【００６４】
なお、本発明は、その発明の範囲内において、実施の形態を適宜、変形、省略することが可能である。
【符号の説明】
【００６５】
１  保護部材、２  ボンディング材、３  タッチパネル、４  ボンディング材、５  表示パネル、６  信号処理基板、７  入力配線部材、８  面状光源、９  接合部材、１０  保持フレーム、１０ａ〜１０ｄ  ガイド部、１１  保護テープ。
【図１】
2014164154.tif 000003
【図２】
2014164154.tif 000004
【図３】
2014164154.tif 000005
【図４】
2014164154.tif 000006
【図５】
2014164154.tif 000007
【図６】
2014164154.tif 000008
【図７】
2014164154.tif 000009
【図８】
2014164154.tif 000010
【図９】
2014164154.tif 000011